(57)【特許請求の範囲】
【請求項１】
相互に接続可能な携帯端末装置とジョブ実行装置とを備えたジョブ実行システムであって、
前記携帯端末装置は、ジョブデータまたはジョブデータ参照先情報を格納する格納手段と、ジョブ実行装置との接続処理及び接続後の通信を行う通信手段と、前記格納手段に格納されたジョブデータまたはジョブデータ参照先情報をジョブ実行装置に送信する送信手段と、を備え、
前記ジョブ実行装置は、携帯端末装置との接続処理及び接続後の通信を行う通信手段と、携帯端末装置から送信されてきたジョブデータまたはジョブデータ参照先情報を受信する受信手段と、受信したジョブデータまたはジョブデータ参照先情報に示される参照先から取得したジョブデータについてのジョブを実行する実行手段と、を備え、
前記携帯端末装置の送信手段によるジョブデータまたはジョブデータ参照先情報のジョブ実行装置への送信は、携帯端末装置とジョブ実行装置の接続確立が携帯端末装置で検出されたことに基づいて、または携帯端末装置とジョブ実行装置との接続確立がジョブ実行装置で検出されたときにジョブ実行装置から前記携帯端末装置に対してなされた送信要求に基づいて行われ、
前記携帯端末装置の格納手段は、ジョブデータまたはジョブデータ参照先情報を格納するフォルダを有し、前記フォルダは、ジョブの種類毎に設けられるとともに、ジョブの種類に応じたジョブ条件が割り当てられており、
前記携帯端末装置の送信手段は、前記フォルダ内のジョブデータまたはジョブデータ参照先情報と、ジョブの種類に応じたジョブ条件をジョブ実行装置に送信することを特徴とするジョブ実行システム。
【請求項２】
前記携帯端末装置とジョブ実行装置との接続処理及び通信は近距離無線通信方式により行われる請求項１に記載のジョブ実行システム。
【請求項３】
前記携帯端末装置は、近距離無線通信方式による接続処理によって送信先であるジョブ実行装置の情報を取得し、取得されたジョブ実行装置情報に示される宛先にジョブデータまたはジョブデータ参照先情報を送信する請求項２に記載のジョブ実行システム。
【請求項４】
前記携帯端末装置はフォルダ毎に、接続確立に基づくジョブ実行装置へのジョブデータまたはジョブデータ参照先情報の送信を行うか否かを設定可能な設定手段を備えている請求項１〜３のいずれかに記載のジョブ実行システム。
【請求項５】
前記設定手段はさらに、接続確立に基づくジョブ実行装置へのジョブデータまたはジョブデータ参照先情報の送信を行うか否かをジョブ実行装置毎に設定可能である請求項４に記載のジョブ実行システム。
【請求項６】
前記携帯端末装置は、ジョブ実行装置との接続が確立されたときに、前記フォルダが存在しないときはフォルダを生成するフォルダ生成手段を備えている請求項１〜５のいずれかに記載のジョブ実行システム。
【請求項７】
前記フォルダ生成手段は、ジョブ実行装置から取得したフォルダ生成用アプリケーションプログラムを用いてフォルダを生成する請求項６に記載のジョブ実行システム。
【請求項８】
前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである請求項１〜７のいずれかに記載のジョブ実行システム。
【請求項９】
ジョブ実行装置は、前記各フォルダに割り当てられているジョブ条件を編集する編集手段を備えている請求項１に記載のジョブ実行システム。
【請求項１０】
前記フォルダ生成手段は、ジョブの種類に応じたフォルダを生成する請求項６または７に記載のジョブ実行システム。
【請求項１１】
前記フォルダには、近距離無線通信によるジョブ実行装置との接続を確立するためのＰＩＮコードがフォルダ毎に登録されている請求項１〜１０のいずれかに記載のジョブ実行システム。
【請求項１２】
ジョブデータまたはジョブデータ参照先情報を格納する格納手段と、
ジョブ実行装置との接続処理及び接続後の通信を行う通信手段と、
前記通信手段によるジョブ実行装置との接続確立を検出する検出手段と、
前記検出手段によるジョブ実行装置との接続確立の検出に基づいて、またはジョブ実行装置との接続確立がジョブ実行装置で検出されたときにジョブ実行装置から送信されてきた送信要求に基づいて、前記格納手段に格納されたジョブデータまたはジョブデータ参照先情報をジョブ実行装置に送信する送信手段と、
を備え、
前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、
前記送信手段は、前記フォルダ内のジョブデータまたはジョブデータ参照先情報と、ジョブの種類に応じたジョブ条件をジョブ実行装置に送信することを特徴とする携帯端末装置。
【請求項１３】
前記フォルダ毎に、接続確立に基づくジョブ実行装置へのジョブデータまたはジョブデータ参照先情報の送信を行うか否かを設定可能な設定手段を備えている請求項１２に記載の携帯端末装置。
【請求項１４】
前記設定手段はさらに、接続確立に基づくジョブ実行装置へのジョブデータまたはジョブデータ参照先情報の送信を行うか否かをジョブ実行装置毎に設定可能である請求項１３に記載の携帯端末装置。
【請求項１５】
前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである請求項１２〜１４のいずれかに記載の携帯端末装置。
【請求項１６】
ジョブデータまたはジョブデータ参照先情報を格納手段に格納する格納ステップと、
ジョブ実行装置との接続処理を行うステップと、
前記ジョブ実行装置との接続確立を検出するステップと、
前記ジョブ実行装置との接続確立の検出に基づいて、前記格納手段に格納されたジョブデータまたはジョブデータ参照先情報をジョブ実行装置に送信する送信ステップと、
を備え、
前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、
前記送信ステップでは、前記フォルダ内のジョブデータまたはジョブデータ参照先情報と、ジョブの種類に応じたジョブ条件をジョブ実行装置に送信することを特徴とする携帯端末装置におけるジョブデータ送信方法。
【請求項１７】
前記フォルダ毎に、接続確立に基づくジョブ実行装置へのジョブデータまたはジョブデータ参照先情報の送信を行うか否かを設定する設定ステップを備えている請求項１６に記載のジョブデータ送信方法。
【請求項１８】
前記設定ステップではさらに、接続確立に基づくジョブ実行装置へのジョブデータまたはジョブデータ参照先情報の送信を行うか否かをジョブ実行装置毎に設定可能である請求項１７に記載のジョブデータ送信方法。
【請求項１９】
前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである請求項１６〜１８のいずれかに記載のジョブデータ送信方法。
【請求項２０】
ジョブデータまたはジョブデータ参照先情報を格納手段に格納するステップと、
ジョブ実行装置との接続処理を行うステップと、
前記ジョブ実行装置との接続確立を検出するステップと、
前記ジョブ実行装置との接続確立の検出に基づいて、前記格納手段に格納されたジョブデータまたはジョブデータ参照先情報をジョブ実行装置に送信する送信ステップと、
を携帯端末のコンピュータに実行させ、
前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、
前記送信ステップでは、前記フォルダ内のジョブデータまたはジョブデータ参照先情報と、ジョブの種類に応じたジョブ条件をジョブ実行装置に送信する処理をコンピュータに実行させるためのジョブデータ送信プログラム。
【請求項２１】
前記フォルダ毎に、接続確立に基づくジョブ実行装置へのジョブデータまたはジョブデータ参照先情報の送信を行うか否かを設定する設定ステップをさらにコンピュータに実行させる請求項２０に記載のジョブデータ送信プログラム。
【請求項２２】
前記設定ステップではさらに、接続確立に基づくジョブ実行装置へのジョブデータまたはジョブデータ参照先情報の送信を行うか否かをジョブ実行装置毎に設定する処理をコンピュータに実行させる請求項２１に記載のジョブデータ送信プログラム。
【請求項２３】
前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである請求項２０〜２２のいずれかに記載のジョブデータ送信プログラム。
【発明の詳細な説明】
【技術分野】
【０００１】
この発明は、相互に接続可能な携帯端末装置と画像形成装置等のジョブ実行装置とを備えたジョブ実行システム、このシステムに好適に用いられる前記携帯端末装置及びジョブ実行装置、ジョブデータ送信または受信方法、並びにジョブデータ送信または受信プログラムに関する。
【背景技術】
【０００２】
携帯電話等の携帯端末装置には、カメラやブラウザ等のようなデータを作成・取得できる機能が搭載されている。それらのデータは、携帯端末装置のメモリだけでなく、ＳＤカード等の記憶メディアに保存できるようになり、携帯端末装置で扱えるデータ量が増加している。それに伴い、携帯端末装置からデータの印刷を行いたいという場面も多くなっている。
【０００３】
また、多機能デジタル画像形成装置であるＭＦＰ（Multi Function Peripherals）と携帯端末装置との間で、ブルートゥース（Bluetooth）等の近距離無線通信によってデータの送受信が行えるようになり、携帯端末装置のデータをＭＦＰに送信してＭＦＰで印刷することも可能となっている。
【０００４】
例えば、特許文献１には、携帯電話が第１無線手段により文書サーバから取得した印刷可能なデータを、第２無線手段によりプリンタに送信し、プリンタで印刷する技術が開示されている。
【０００５】
また、特許文献２には、携帯端末装置にて取得したＵＲＬ情報やホームページ情報、画像データ等を記憶しておき、無線通信を利用してパソコンあるいはプリンタに送信し、詳細情報の取得処理や印刷処理をパソコンあるいはプリンタで実行させることで、携帯端末装置の処理負荷及び記憶メモリの容量削減を図る技術が開示されている。
【０００６】
これらの特許文献に記載された技術を含め、近距離無線通信等によって携帯端末装置からＭＦＰへデータを送信する場合、従来では、まず送信先であるＭＦＰとの接続処理により接続を確立し、その後にユーザが送信対象のデータを選択して送信を指示することが行われていた。
【特許文献１】特開２００３−１１４７７３号公報
【特許文献２】特開２００６−２１５６３０号公報
【発明の開示】
【発明が解決しようとする課題】
【０００７】
しかし、携帯端末装置からＭＦＰへデータを送信してＭＦＰで印刷を行う場合、携帯端末装置とＭＦＰとの接続が確立されたのち印刷が終了するまでは、ＭＦＰはそのユーザによって占有されることになるが、接続確立後にユーザが印刷対象のデータを選択して送信を指示する方法では、ユーザによる印刷対象データの選択操作及び送信指示操作の間もＭＦＰが占有されることになり、占有時間が長くなるという問題があった。
【０００８】
また、印刷したいデータをユーザが携帯端末装置により入手したときに、そのユーザが常にＭＦＰの近くにいるわけではないので、印刷したいデータを携帯端末装置により入手したとしても、直ちにＭＦＰに印刷を指示できるとは限らないという問題もあった。
【０００９】
この発明の目的は、携帯端末装置から画像形成装置へデータを送信して、画像形成装置に印刷等のジョブを行わせる場合に、画像形成装置の占有時間の短縮化を図ることができると共に、携帯端末装置により入手したデータについてのジョブを確実に画像形成装置に実行させることができるジョブ実行システムを提供することにある。
【００１０】
この発明の他の目的は、前記ジョブ実行システムに好適に用いることのできる携帯端末装置またはジョブ実行装置を提供し、さらにはジョブデータ送信または受信方法、並びにジョブデータ送信または受信プログラムを提供することにある。
【課題を解決するための手段】
【００１１】
上記課題は以下の手段によって解決される。
（１）相互に接続可能な携帯端末装置とジョブ実行装置とを備えたジョブ実行システムであって、前記携帯端末装置は、ジョブデータまたはジョブデータ参照先情報を格納する格納手段と、ジョブ実行装置との接続処理及び接続後の通信を行う通信手段と、前記格納手段に格納されたジョブデータまたはジョブデータ参照先情報をジョブ実行装置に送信する送信手段と、を備え、前記ジョブ実行装置は、携帯端末装置との接続処理及び接続後の通信を行う通信手段と、携帯端末装置から送信されてきたジョブデータまたはジョブデータ参照先情報を受信する受信手段と、受信したジョブデータまたはジョブデータ参照先情報に示される参照先から取得したジョブデータについてのジョブを実行する実行手段と、を備え、前記携帯端末装置の送信手段によるジョブデータまたはジョブデータ参照先情報のジョブ実行装置への送信は、携帯端末装置とジョブ実行装置の接続確立が携帯端末装置で検出されたことに基づいて、または携帯端末装置とジョブ実行装置との接続確立がジョブ実行装置で検出されたときにジョブ実行装置から前記携帯端末装置に対してなされた送信要求に基づいて行われ、前記携帯端末装置の格納手段は、ジョブデータまたはジョブデータ参照先情報を格納するフォルダを有し、前記フォルダは、ジョブの種類毎に設けられるとともに、ジョブの種類に応じたジョブ条件が割り当てられており、前記携帯端末装置の送信手段は、前記フォルダ内のジョブデータまたはジョブデータ参照先情報と、ジョブの種類に応じたジョブ条件をジョブ実行装置に送信することを特徴とするジョブ実行システム。
（２）前記携帯端末装置とジョブ実行装置との接続処理及び通信は近距離無線通信方式により行われる前項１に記載のジョブ実行システム。
（３）前記携帯端末装置は、近距離無線通信方式による接続処理によって送信先であるジョブ実行装置の情報を取得し、取得されたジョブ実行装置情報に示される宛先にジョブデータまたはジョブデータ参照先情報を送信する前項２に記載のジョブ実行システム。
（４）前記携帯端末装置はフォルダ毎に、接続確立に基づくジョブ実行装置へのジョブデータまたはジョブデータ参照先情報の送信を行うか否かを設定可能な設定手段を備えている前項１〜３のいずれかに記載のジョブ実行システム。
（５）前記設定手段はさらに、接続確立に基づくジョブ実行装置へのジョブデータまたはジョブデータ参照先情報の送信を行うか否かをジョブ実行装置毎に設定可能である前項４に記載のジョブ実行システム。
（６）前記携帯端末装置は、ジョブ実行装置との接続が確立されたときに、前記フォルダが存在しないときはフォルダを生成するフォルダ生成手段を備えている前項１〜５のいずれかに記載のジョブ実行システム。
（７）前記フォルダ生成手段は、ジョブ実行装置から取得したフォルダ生成用アプリケーションプログラムを用いてフォルダを生成する前項６に記載のジョブ実行システム。
（８）前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである前項１〜７のいずれかに記載のジョブ実行システム。
（９）ジョブ実行装置は、前記各フォルダに割り当てられているジョブ条件を編集する編集手段を備えている前項１に記載のジョブ実行システム。
（１０）前記フォルダ生成手段は、ジョブの種類に応じたフォルダを生成する前項６または７に記載のジョブ実行システム。
（１１）前記フォルダには、近距離無線通信によるジョブ実行装置との接続を確立するためのＰＩＮコードがフォルダ毎に登録されている前項１〜１０のいずれかに記載のジョブ実行システム。
（１２）ジョブデータまたはジョブデータ参照先情報を格納する格納手段と、ジョブ実行装置との接続処理及び接続後の通信を行う通信手段と、前記通信手段によるジョブ実行装置との接続確立を検出する検出手段と、前記検出手段によるジョブ実行装置との接続確立の検出に基づいて、またはジョブ実行装置との接続確立がジョブ実行装置で検出されたときにジョブ実行装置から送信されてきた送信要求に基づいて、前記格納手段に格納されたジョブデータまたはジョブデータ参照先情報をジョブ実行装置に送信する送信手段と、を備え、前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、前記送信手段は、前記フォルダ内のジョブデータまたはジョブデータ参照先情報と、ジョブの種類に応じたジョブ条件をジョブ実行装置に送信することを特徴とする携帯端末装置。
（１３）前記フォルダ毎に、接続確立に基づくジョブ実行装置へのジョブデータまたはジョブデータ参照先情報の送信を行うか否かを設定可能な設定手段を備えている前項１２に記載の携帯端末装置。
（１４）前記設定手段はさらに、接続確立に基づくジョブ実行装置へのジョブデータまたはジョブデータ参照先情報の送信を行うか否かをジョブ実行装置毎に設定可能である前項１３に記載の携帯端末装置。
（１５）前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである前項１２〜１４のいずれかに記載の携帯端末装置。
（１６）ジョブデータまたはジョブデータ参照先情報を格納手段に格納する格納ステップと、ジョブ実行装置との接続処理を行うステップと、前記ジョブ実行装置との接続確立を検出するステップと、前記ジョブ実行装置との接続確立の検出に基づいて、前記格納手段に格納されたジョブデータまたはジョブデータ参照先情報をジョブ実行装置に送信する送信ステップと、を備え、前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、前記送信ステップでは、前記フォルダ内のジョブデータまたはジョブデータ参照先情報と、ジョブの種類に応じたジョブ条件をジョブ実行装置に送信することを特徴とする携帯端末装置におけるジョブデータ送信方法。
（１７）前記フォルダ毎に、接続確立に基づくジョブ実行装置へのジョブデータまたはジョブデータ参照先情報の送信を行うか否かを設定する設定ステップを備えている前項１６に記載のジョブデータ送信方法。
（１８）前記設定ステップではさらに、接続確立に基づくジョブ実行装置へのジョブデータまたはジョブデータ参照先情報の送信を行うか否かをジョブ実行装置毎に設定可能である前項１７に記載のジョブデータ送信方法。
（１９）前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである前項１６〜１８のいずれかに記載のジョブデータ送信方法。
（２０）ジョブデータまたはジョブデータ参照先情報を格納手段に格納するステップと、ジョブ実行装置との接続処理を行うステップと、前記ジョブ実行装置との接続確立を検出するステップと、前記ジョブ実行装置との接続確立の検出に基づいて、前記格納手段に格納されたジョブデータまたはジョブデータ参照先情報をジョブ実行装置に送信する送信ステップと、を携帯端末のコンピュータに実行させ、前記格納手段は、ジョブデータまたはジョブデータ参照先情報を格納するフォルダを有し、前記フォルダは、ジョブの種類毎に設けられるとともに、ジョブの種類に応じたジョブ条件が割り当てられており、前記送信ステップでは、前記フォルダ内のジョブデータまたはジョブデータ参照先情報と、ジョブの種類に応じたジョブ条件をジョブ実行装置に送信する処理をコンピュータに実行させるためのジョブデータ送信プログラム。
（２１）前記フォルダ毎に、接続確立に基づくジョブ実行装置へのジョブデータまたはジョブデータ参照先情報の送信を行うか否かを設定する設定ステップをさらにコンピュータに実行させる前項２０に記載のジョブデータ送信プログラム。
（２２）前記設定ステップではさらに、接続確立に基づくジョブ実行装置へのジョブデータまたはジョブデータ参照先情報の送信を行うか否かをジョブ実行装置毎に設定する処理をコンピュータに実行させる前項２１に記載のジョブデータ送信プログラム。
（２３）前記フォルダは、印刷ジョブ用フォルダ、ジョブ実行装置の記憶手段へジョブデータを保存するための保存ジョブ用フォルダ、ジョブ実行装置からジョブデータを外部へ転送するための転送ジョブ用フォルダ、ファイル変換ジョブ用フォルダの少なくとも１つである前項２０〜２２のいずれかに記載のジョブデータ送信プログラム。
【発明の効果】
【００１２】
前項（１）に記載の発明によれば、携帯端末装置とジョブ実行装置の接続確立が携帯端末装置で検出されたことに基づいて、または携帯端末装置とジョブ実行装置の接続確立がジョブ実行装置で検出されたときにジョブ実行装置から前記携帯端末装置に対してなされたジョブデータの送信要求に基づいて、携帯端末装置の格納手段に格納されているジョブデータまたはジョブデータ参照先情報がジョブ実行装置へ自動的に送信される。そして、画像形成装置は、受信したジョブデータまたはジョブデータ参照先情報に示される参照先から取得したジョブデータについてジョブを実行する。このため、携帯端末装置のユーザが送信対象のデータを選択して送信を指示する操作は不要であるから、その分だけジョブが実行されるまでのジョブ実行装置に対する占有時間を少なくできる。しかも、携帯端末装置の格納手段に格納されているジョブデータまたはジョブデータ参照先情報がジョブ実行装置に送信されるから、ユーザは例えば印刷等したいデータを携帯端末装置により入手したときは、前記格納手段に格納しておけば良く、このデータを確実にジョブ実行装置に送信してジョブを実行させることができる。また、ジョブデータまたはジョブデータ参照先情報を格納するフォルダがジョブの種類毎に設けられるとともに、ジョブの種類に応じたジョブ条件が割り当てられており、前記携帯端末装置は、前記フォルダ内のデータとジョブの種類に応じたジョブ条件をジョブ実行装置へ送信するから、ジョブ実行装置では、各フォルダに応じた種類のジョブを実行することができるとともに、各フォルダに割り当てられているジョブの種類に応じたジョブ条件により、ジョブを実行することができる。
【００１３】
前項（２）に記載の発明によれば、携帯端末装置とジョブ実行装置との接続処理及び通信を、近距離無線通信方式により行うことができる。
【００１５】
前項（３）に記載の発明によれば、近距離無線通信による接続処理によって送信先であるジョブ実行装置の情報を取得し、取得されたジョブ実行装置情報に示される宛先にジョブデータまたはジョブデータ参照先情報を送信することができる。
【００１６】
前項（４）に記載の発明によれば、ユーザは、携帯端末装置のジョブデータ格納手段のフォルダ毎に、接続確立に基づくジョブ実行装置へのジョブデータまたはジョブデータ参照先情報の送信を行うか否かを設定することができる。
【００１７】
前項（５）に記載の発明によれば、ユーザは、接続確立に基づくジョブ実行装置へのジョブデータまたはジョブデータ参照先情報の送信を行うか否かを、ジョブ実行装置毎に設定することができる。
【００１８】
前項（６）に記載の発明によれば、ジョブ実行装置との接続が確立されたときに、携帯端末装置にフォルダが存在しないときは、フォルダを自動的に生成することができる。
【００１９】
前項（７）に記載の発明によれば、ジョブ実行装置から取得したフォルダ生成用アプリケーションプログラムを用いてフォルダを生成することができる。
【００２１】
前項（８）に記載の発明によれば、ジョブ実行装置は、印刷ジョブ、保存ジョブ、転送ジョブ、ファイル変換ジョブの少なくとも１つを実行することができる。
【００２３】
前項（９）に記載の発明によれば、ジョブ実行装置は、前記各フォルダに割り当てられているジョブ条件を編集することができる。
【００２４】
前項（１０）に記載の発明によれば、携帯端末装置は、格納手段にフォルダが存在しないときに、ジョブの種類に応じたフォルダを生成することができる。
【００２５】
前項（１１）に記載の発明によれば、フォルダ毎に登録されているＰＩＮコードに基づいて、近距離無線通信によるジョブ実行装置との接続を確立することができる。
【００２６】
前項（１２）に記載の発明によれば、ジョブ実行装置の接続確立を検出して、格納手段に格納されているジョブデータまたはジョブデータ参照先情報をジョブ実行装置へ自動的に送信することができる携帯端末装置となしうる。また、ジョブデータまたはジョブデータ参照先情報を格納するフォルダがジョブの種類毎に設けられるとともに、ジョブの種類に応じたジョブ条件が割り当てられており、前記携帯端末装置は、前記フォルダ内のデータとジョブの種類に応じたジョブ条件をジョブ実行装置へ送信するから、ジョブ実行装置では、各フォルダに応じた種類のジョブを実行することができるとともに、各フォルダに割り当てられているジョブの種類に応じたジョブ条件により、ジョブを実行することができる。
【００２８】
前項（１６）に記載の発明によれば、ジョブ実行装置の接続確立を検出して、格納手段に格納されているジョブデータまたはジョブデータ参照先情報と、ジョブの種類に応じたジョブ条件をジョブ実行装置へ自動的に送信することができる。
【００３０】
前項（２０）に記載の発明によれば、ジョブ実行装置の接続確立を検出して、格納手段にジョブの種類毎に設けられたフォルダ内のジョブデータまたはジョブデータ参照先情報と、ジョブの種類に応じたジョブ条件をジョブ実行装置へ自動的に送信する処理を、携帯端末装置のコンピュータに実行させることができる。
【発明を実施するための最良の形態】
【００３２】
以下、この発明の一実施形態を図面を参照しつつ説明する。
【００３３】
図１は、この発明の一実施形態に係るジョブ実行システムとしての印刷システムの構成図である。
【００３４】
この印刷システムは、ＭＦＰからなるジョブ実行装置としての画像形成装置１と、携帯電話等の携帯端末装置２を備え、これらの画像形成装置１と携帯端末装置２とはそれぞれインターネット３に接続可能であると共に、ブルートゥース（Bluetooth）等の近距離無線通信方式により相互に接続及び通信が可能となされている。
【００３５】
図２は、前記画像形成装置１の機能的な構成を示すブロック図である。
【００３６】
画像形成装置１は、全体制御部１１、記憶部１２、近距離無線通信部１３、ファイル管理部１４、ネットワーク通信部１５、プリント部１６、操作パネル部１７及びスキャン部１８等を備えている。
【００３７】
全体制御部１１は、ＣＰＵ１１１、ＲＡＭ１１３、ＲＯＭ１１２等を備え、画像形成装置１の全体を統括的に制御するものである。例えば、この実施形態では、携帯端末装置１との間で近距離無線通信方式による接続が確立できたか否かを、近距離無線通信部１３を介して検出したり、接続確立を検出したときはジョブデータまたはジョブデータ参照先情報の送信要求を携帯端末装置２に対して行うが、全体制御部１１による具体的な動作は後述する。
【００３８】
記憶部１２は例えばハードディスク等の記憶媒体からなり、各種のデータ、設定情報、アプリケーションソフトなどを記憶する。
【００３９】
近距離無線通信部１３は、携帯端末装置２との間で近距離無線通信方式による接続確立のための接続処理及び接続確立後の通信を行うためのものであり、この近距離無線通信部１３を介して、携帯端末装置２との間でデータの送受信が可能となされている。
【００４０】
ファイル管理部１４は、記憶部１２に記憶されているデータファイルの管理を行うものであり、ネットワーク通信部１５は、画像形成装置１をインターネット３等のネットワークに接続するためのものである。
【００４１】
プリント部１６は、携帯端末装置２から送信されてきたジョブデータ、ネットワークを介してパソコン等の外部装置から送信されてきたプリントデータ、あるいはスキャン部１８で読み取られた原稿の画像データ等を、用紙に印刷するものであり、ジョブ実行部の１つとして機能する。
【００４２】
操作パネル部１７は、ユーザによる各種の入力操作を行ったり、画像形成装置１のモードやユーザへのメッセージ等を表示するものであり、テンキー、スタートキー、ストップキー等を備えたキー入力部１７１と、液晶タッチパネル等からなる表示部１７２を備えている。
【００４３】
スキャン部１８は、プラテンガラス上あるいは自動原稿搬送装置にセットされた原稿を読み取って、電子データである画像データに変換するものである。
【００４４】
図３は、携帯端末装置２の機能構成を示すブロック図である。
【００４５】
携帯端末装置２は、全体制御部２１、記憶部２２、近距離無線通信部２３、ファイル管理部２４、電話通信部２５、アプリケーション管理部２６、操作パネル部２７等を備えている。
【００４６】
全体制御部２１は、ＣＰＵ２１１、ＲＡＭ２１３、ＲＯＭ２１２等を備え、携帯端末装置２の全体を統括的に制御するものである。例えば、この実施形態では、画像形成装置１との間で近距離無線通信方式による接続が確立できたか否かを、近距離無線通信部２３を介して検出したり、接続確立を検出したときはジョブデータまたはジョブデータ参照先情報を画像形成装置１に送信する等の制御を行うが、全体制御部２１による具体的な動作は後述する。
【００４７】
記憶部２２は各種のデータ、設定情報、アプリケーションソフトなどを記憶するものであり、ユーザが画像形成装置１に実行させたいジョブデータやジョブデータの参照先情報を格納しておく格納部としても機能する。この実施形態では、記憶部２２にはジョブデータまたはジョブデータ参照先情報を格納するための１個または複数個のフォルダが設けられている。前記フォルダは、ジョブの種類毎に作成されており、この例では例えば画像形成装置１にデータを印刷させるための印刷ジョブが格納される印刷ジョブ用フォルダ２２１、画像形成装置１の記憶部１２へデータを保存させるためのジョブが格納される保存ジョブ用フォルダ２２２、画像形成装置１からデータを外部へ転送するためのジョブが格納される転送ジョブ用フォルダ２２３、画像形成装置１にデータのファイル形式を変換させるためのジョブが格納されるファイル変換ジョブ用フォルダ２２４等のうちの少なくとも１つが設けられている。以下、ジョブデータが格納されるこのようなフォルダを、送信用フォルダともいう。
【００４８】
近距離無線通信部２３は、画像形成装置１との間で近距離無線通信方式による接続確立の為の処理及び接続確立後の通信を行うためのものであり、この近距離無線通信部２３を介して、画像形成装置１との間でデータの送受信が可能となされている。
【００４９】
ファイル管理部２４は、記憶部２２に記憶されているデータファイルの管理を行うものであり、電話通信部２５は公衆電話回線との接続を行うものであり、アプリケーション管理部２６は、記憶部２２に記憶されているアプリケーションプログラムを管理するものである。
【００５０】
操作パネル部２７は、ユーザによる各種の入力操作を行ったり、画像形成装置１のモードやユーザへのメッセージ等を表示するものである。
【００５１】
図４（Ａ）は携帯端末装置２の動作を示すフローチャートであり、図４（Ｂ）は画像形成装置１の動作を示すフローチャートである。なお、携帯端末装置２の動作は全体制御部２１のＣＰＵ２１１がＲＯＭ２１２や記憶部２２に記憶されているプログラムに従って動作することにより実行される。また、画像形成装置１の動作は全体制御部１１のＣＰＵ１１１がＲＯＭ１１２や記憶部１２に記憶されているプログラムに従って動作することにより実行される。
【００５２】
携帯端末装置２は、図４（Ａ）に示すように、ステップＳ０１のフォルダ設定処理を行ってフォルダを作成したのち、ステップＳ０２で設定したフォルダにデータを保存し、ステップＳ０３でデータ送信処理を実行する。なお、ステップＳ０１において、既にフォルダが作成されている場合には、フォルダ設定処理は行われることなく、ステップＳ０２のデータ保存処理に進み、ステップＳ０２で既にデータが保存されている場合には、データの保存が行われることなく、ステップＳ０３のデータ送信処理に進む。
【００５３】
一方、画像形成装置は、図４Ｂに示すように、ステップＳ１１のデータ受信処理及びステップＳ２２のデータ処理を実行する。
【００５４】
図５は図４ＡのフローチャートにおけるステップＳ０１のフォルダ設定処理のサブルーチンを示すフローチャートである。このフォルダ設定処理では、ステップＳ０１１で、ユーザの指示等に基づいて、画像形成装置に所定のジョブを実行させるためのフォルダを作成する。この例では、印刷ジョブ用フォルダを作成した場合を示しているが、前述したような保存ジョブ用フォルダ、転送ジョブ用フォルダ、ファイル変換ジョブ用フォルダであっても良い。また、１つのフォルダだけでなく、２つ以上のフォルダを作成しても良い。
【００５５】
図６は図４ＡのフローチャートにおけるステップＳ０３のデータ送信処理のサブルーチンを示すフローチャートである。
【００５６】
ステップＳ０３１で、携帯端末装置２は、近距離無線通信部１３を介して近距離無線通信機器が検出されるのを待つ。近距離無線通信機器が検出されると（ステップＳ０３１でＹＥＳ）、接続処理を行う。即ち、ステップＳ０３２で、検出された機器に対して接続要求を出し、機器側の回答を待つ。この際、近距離無線通信機器が画像形成装置１である場合、携帯端末装置２は画像形成装置１から装置情報として画像形成装置装置固有のコード情報を取得するとともに、取得したコード情報により、近距離無線通信機器が画像形成装置１であることを特定する。
【００５７】
次に、ステップＳ０３３で、画像形成装置１により接続要求が受け付けられたか否かを判断する。画像形成装置１により接続要求が受け付けられなかった場合（ステップＳ０３３でＮＯ）、ステップＳ０３１に戻る。接続要求が受け付けられると（ステップＳ０３３でＹＥＳ）、ステップＳ０３４で通信接続の確立が検出されたのち、ステップＳ０３５で、図４ＡのステップＳ０１で記憶部１２に送信用フォルダや送信対象データを検索した後、ステップＳ０３６で、送信対象データが存在しているかどうかを判断する。
【００５８】
送信対象データが存在すれば（ステップＳ０３６でＹＥＳ）、ステップＳ０３７で、そのジョブデータを画像形成装置１に送信したのち、ステップＳ０３５に戻り、他の送信対象データを検索する。送信対象データが存在しなければ（ステップＳ０３６でＮＯ）、ステップＳ０３８で画像形成装置１との近距離無線通信を切断した後、リターンする。
【００５９】
図７は、図４ＢのフローチャートにおけるステップＳ１１の画像形成装置１のデータ受信処理のサブルーチンを示すフローチャートである。
【００６０】
ステップＳ１１１では、近距離無線通信方式による接続要求があるのを待つ。接続要求があると（ステップＳ１１１でＹＥＳ）、接続処理を行う。即ち、ステップＳ１１２で、画像形成装置１が送信し携帯端末装置２から再送信されてきた、画像形成装置自身の固有のコード情報が正しいかどうかを照合し、照合の結果が適正（ＯＫ）でなければ（ステップＳ１１２でＮＯ）、ステップＳ１１１に戻る。照合の結果が適正であれば（ステップＳ１１２でＹＥＳ）、ステップＳ１１３で携帯端末装置２と通信接続を確立した後、ステップＳ１１４で、携帯端末装置２からの受信対象データがあるかどうかを判断する。
【００６１】
受信対象データがなければ（ステップＳ１１４でＮＯ）、受信対象データがあるまでそのままステップＳ１１４に留まる。受信対象データがあれば（ステップＳ１１４でＹＥＳ）、ステップＳ１１５で携帯端末装置からジョブデータを受信した後、ステップＳ１１６に進む。
【００６２】
ステップＳ１１６では、携帯端末装置２との近距離無線通信が切断されたかどうかが判断され、切断されなければ（ステップＳ１１６でＮＯ）、ステップＳ１１４に戻る。携帯端末装置２との近距離無線通信が切断された場合は（ステップＳ１１６でＹＥＳ）、リターンする。
【００６３】
図８は、図４ＢのフローチャートにおけるステップＳ１２のデータ処理のサブルーチンを示すフローチャートである。
【００６４】
携帯端末装置２からデータを受信した画像形成装置１は、ステップＳ１２で、受信したジョブデータをジョブの種類を示す情報に従って印刷したのち、リターンする。この場合、受信データの印刷条件は例えば画像形成装置１側で予め設定された条件を用いても良いし、ジョブデータ毎に設定されジョブデータと共に送信されてきた条件を用いても良いし、後述するように、携帯端末装置２から送信されてきたフォルダ毎のジョブ条件に基づいて実行しても良い。
【００６５】
なお、ジョブデータが格納された携帯端末装置２の記憶部２２における送信用フォルダが、印刷ジョブ用フォルダ２２１でなく、保存ジョブ用フォルダ２２２、転送ジョブ用フォルダ２２３、ファイル変換ジョブ用フォルダ２２４の少なくともいずれかであった場合、フォルダの種類に応じて、画像形成装置１は、受信したジョブデータの記憶部１２への保存、外部装置への転送、ファイル形式の変換を実行する。
【００６６】
このように、この実施形態では、携帯端末装置２と画像形成装置１の接続確立が携帯端末装置２で検出されたときは、携帯端末装置２の記憶部１２の送信用フォルダ２２１〜２２４に格納されているジョブデータが画像形成装置１へ自動的に送信される。このため、携帯端末装置２のユーザが送信対象のジョブデータを選択して送信を指示する操作は不要であるから、その分だけジョブが実行されるまでの画像形成装置１に対する占有時間を少なくできる。しかも、携帯端末装置２の送信用フォルダ２２１〜２２４に格納されているジョブデータが画像形成装置１に送信されるから、ユーザは例えば印刷等を行いたいデータを携帯端末装置２により入手したときは、実行したいジョブに応じた送信用フォルダ２２１〜２２４に格納しておけば良く、このジョブデータを確実に画像形成装置２に送信してジョブを実行させることができる。
【００６７】
図９はこの発明の他の実施形態を示すものである。この実施形態では、画像形成装置１からのジョブデータ送信要求に応じて、携帯端末装置２は画像形成装置１にジョブデータ等を送信するものである。
【００６８】
図９（Ａ）は、図４ＢのフローチャートにおけるステップＳ１１の画像形成装置１のデータ受信処理のサブルーチンに対応するフローチャートである。
【００６９】
ステップＳ１１０１では、近距離無線通信部１３を介して近距離無線通信機器が検出されるのを待つ。近距離無線通信機器が検出されると（ステップＳ１１０１でＹＥＳ）、ステップＳ１１０２で、検出された機器に対して接続要求を出し、機器側の回答を待つ。この際、近距離無線通信機器が携帯端末装置２である場合、画像形成装置１は携帯端末装置２から装置情報として固有のコード情報を取得するとともに、取得したコード情報により、近距離無線通信機器が携帯端末装置２であることを特定する。
【００７０】
次に、ステップＳ１１０３で、携帯端末装置２により接続要求が受け付けられたか否かを判断する。受け付けられなかった場合（ステップＳ１１０３でＮＯ）、ステップＳ１１０１に戻る。接続要求が受け付けられると（ステップＳ１１０３でＹＥＳ）、ステップＳ１１０４で、通信接続の確立が検出されたのち、ステップＳ１１０５で、携帯端末装置２に対してジョブデータの送信を要求する。
【００７１】
次いで、ステップＳ１１０６で、携帯端末装置２からの受信対象データがあるかどうかを判断する。受信対象データがなければ（ステップＳ１１０６でＮＯ）、そのままステップＳ１１０６に留まる。受信対象データがあれば（ステップＳ１１０６でＹＥＳ）、ステップＳ１１０７で携帯端末装置からデータを受信した後、ステップＳ１１０８に進む。
【００７２】
ステップＳ１１０８では、携帯端末装置２との近距離無線通信が切断されたかどうかが判断され、切断されなければ（ステップＳ１１０８でＮＯ）、ステップＳ１１０６に戻る。携帯端末装置２との近距離無線通信が切断された場合は（ステップＳ１１０８でＹＥＳ）、リターンする。
【００７３】
図９（Ｂ）は、図４（Ａ）のフローチャートにおけるステップＳ０３の携帯端末装置２のデータ送信処理のサブルーチンに対応するフローチャートである。
【００７４】
ステップＳ０３０１において、近距離無線通信方式による接続要求があるのを待つ。接続要求があると（ステップＳ０３０１でＹＥＳ）、ステップＳ０３０２で、携帯端末装置２が送信し画像形成装置１から再送信されてきた、携帯端末装置自身の固有のコード情報が正しいかどうかを照合し、照合の結果が適正（ＯＫ）でなければ（ステップＳ０３０２でＮＯ）、ステップＳ０３０１に戻る。照合の結果が適正であれば（ステップＳ０３０２でＹＥＳ）、ステップＳ０３０３で画像形成装置と通信接続を確立した後、ステップＳ０３０４で、画像形成装置１からのデータ送信要求があるかどうかを判断する。
【００７５】
データ送信要求がなければ（ステップＳ０３０４でＮＯ）、送信要求があるまでそのままステップＳ０３０４に留まる。送信要求があれば（ステップＳ０３０４でＹＥＳ）、ステップＳ０３０５で、記憶部２２の送信用フォルダ２２１〜２２４及びフォルダ内の送信対象データを検索したのち、ステップＳ０３０６で、送信対象データが存在しているかどうかを判断する。
【００７６】
送信対象データが存在すれば（ステップＳ０３０６でＹＥＳ）、ステップＳ０３０７で、そのジョブデータ等を画像形成装置に送信したのち、ステップＳ０３０５にもどり、他の送信対象データを検索する。送信対象データが存在しなければ（ステップＳ０３０６でＮＯ）、ステップＳ０３０８で近距離無線通信を切断した後、リターンする。
【００７７】
この実施形態によれば、携帯端末装置２と画像形成装置１の接続確立を検出した画像形成装置１から携帯端末装置２に対してジョブデータの送信要求があったときは、携帯端末装置２の記憶部２２の送信用フォルダ２２１〜２２４に格納されているジョブデータが画像形成装置１へ自動的に送信されるから、携帯端末装置２のユーザが送信対象のジョブデータを選択して送信を指示する操作は不要となり、その分だけジョブが実行されるまでの画像形成装置１に対する占有時間を少なくできる。
【００７８】
図１０はこの発明のさらに他の実施形態を示すフローチャートであり、図４（Ｂ）のフローチャートにおけるステップＳ１２のデータ処理のサブルーチンに対応するものである。
【００７９】
今まで説明した実施形態では、携帯端末装置２の記憶部２２の送信用フォルダ２２１〜２２４に格納されているジョブデータを、画像形成装置１に送信するものとしたが、図１０に示す実施形態では、１個または複数個のジョブデータ参照先情報が送信用フォルダ２２１〜２２４に格納されており、これらの参照先情報が画像形成装置１に送信されるものである。
【００８０】
ステップＳ１２２で、画像形成装置１は受信したデータの種別、換言すれば受信データがジョブデータかまたはジョブデータの参照先情報かを判別する。
【００８１】
ジョブデータであれば（ステップＳ１２２で「ジョブデータ」）、そのままステップＳ１２３に進む。参照先情報であれば（ステップＳ１２２で「参照先情報」）、ステップＳ１２４で、参照先情報で示されるジョブデータの存在先にアクセスして、ジョブデータを取得したのち、ステップＳ１２３に進む。例えば、ジョブデータが外部に存在する場合には、ネットワークを介してジョブデータが取得される。
【００８２】
ステップＳ１２３では、受信したあるいは取得したジョブデータについて印刷等のジョブを実行した後、リターンする。
【００８３】
このように、携帯端末装置２からジョブデータの参照先情報を送信すれば、その情報に基づいて画像形成装置１がジョブデータを自動的に取得し、印刷等のジョブを実行するから、例えばサイズの大きなジョブデータであっても参照先情報のみを画像形成装置１に送信すれば良いことになり、携帯端末装置２の記憶部２２の容量を小さくできる等の利点がある。
【００８４】
図１１及び図１２は、この発明のさらに他の実施形態を説明するための図である。
【００８５】
この実施形態では、携帯端末装置２の記憶部２２に作成された１個または複数個の送信用フォルダ２２１〜２２４に対して、各フォルダ毎につまりジョブの種類に応じて、ジョブを実行する際の条件であるジョブ条件（ジョブチケットともいう）が割り当てられている。そして、フォルダに格納された１個または複数個のジョブデータが画像形成装置１に送信されたときには、そのフォルダに割り当てられた１個のジョブチケットも同時に送信され、画像形成装置１では、受信したジョブチケットに従ってジョブデータに対するジョブを実行する構成となされている。
【００８６】
前記ジョブチケットの一例を図１１に示す。この例では、４種類のジョブチケット３１〜３４が設定されている。
【００８７】
ジョブチケット３１は、印刷ジョブ用フォルダ２２１に割り当てられたもので、ジョブの種類は「印刷」、印刷設定として例えば部数「１」が設定されている。
【００８８】
ジョブチケット３２は、保存ジョブ用フォルダ２２２に割り当てられたもので、ジョブの種類は「記憶部（ハードディスク：ＨＤＤ）への保存」、保存設定として例えば保存先「\user1\box1」が設定されている。
【００８９】
ジョブチケット３３は、転送ジョブ用フォルダ２２３に割り当てられたもので、ジョブの種類は「転送」、転送設定として転送方法「Ｆａｘ転送」、転送先「０７２７８２８４９７」が設定されている。
【００９０】
ジョブチケット３４は、ファイル変換ジョブ用フォルダ２２４に割り当てられたもので、ジョブの種類は「ファイル変換」、ファイル変換設定として変換方法「ＨＴＭＬ→ＰＤＦ」（ＨＴＭＬからＰＤＦへの変換）が設定されている。
【００９１】
図１２（Ａ）は図４（Ａ）のフローチャートにおけるステップＳ０１のフォルダ設定処理のサブルーチンに対応するフローチャートであり、図１２（Ｂ）は図４（Ｂ）のフローチャートにおけるステップＳ１２のデータ処理に対応するフローチャートである。
【００９２】
図１２（Ａ）において、ステップＳ０１２では、ユーザの指示に基づいてジョブの種類に応じた１個または複数個の送信用フォルダ２２１〜２２４を作成した後、ステップＳ０１４〜ステップＳ０１６の処理を、作成したフォルダの個数分繰り返す（ステップＳ０１３及びＳ０１７）。
【００９３】
即ち、ステップＳ０１４では、ジョブチケットの割り当て対象であるフォルダが存在するかどうかを判断し、存在しなければ（ステップＳ０１４でＮＯ）、そのままリターンする。存在する場合は（ステップＳ０１４でＹＥＳ）、ステップＳ０１５で、ユーザの指示に基づいて対応するフォルダについてのジョブチケットを生成したのち、ジョブチケットを対応するフォルダに保存する。これらの処理をフォルダの数だけ繰り返した後、リターンする。
【００９４】
一方、フォルダ２２１〜２２４内のジョブデータとジョブチケットを、携帯端末装置２から受信した画像形成装置１は、図１２（Ｂ）に示すように、受信したジョブデータについてジョブチケットに応じたジョブを実行する。即ち、ジョブチケットに従って印刷し（ステップＳ１２３）、あるいはハードディスクからなる記憶部に保存し（ステップＳ１２４）、あるいは外部装置へ転送し（ステップＳ１２５）、あるいはファイル変換を行う（ステップＳ１２６）。
【００９５】
図１１及び図１２の実施形態によれば、画像形成装置１は、各送信用フォルダ２２１〜２２４に割り当てられているジョブチケットに応じてジョブを実行するから、携帯端末装置２のユーザにとっては、各ジョブデータ毎にジョブ条件を設定する必要はなくなり、使い勝手を向上することができる。
【００９６】
図１３は、この発明のさらに他の実施形態を説明するためのフローチャートであり、図４（Ａ）のフローチャートにおけるステップＳ０１のフォルダ設定処理のサブルーチンに対応するフローチャートである。この実施形態では、ジョブデータの画像形成装置１への送信可否をユーザが設定可能となされている。
【００９７】
携帯端末装置２は、ステップＳ０１０１でフォルダを作成したのち、作成されたフォルダに格納されたジョブデータを画像形成装置１に送信するか否かの設定を、ユーザの操作指示に基づいて設定する。前記ジョブデータの送信可否設定は、フォルダ毎に行うことができ、あるいはさらに画像形成装置１毎に行うことができる。ジョブデータを送信することが設定されたフォルダに格納されたジョブデータのみが、画像形成装置１へ送信され、ジョブデータを送信しないことが設定されたフォルダに格納されたジョブデータは、画像形成装置１へ送信されない。また、ジョブデータを送信することが設定されたフォルダであっても、送信しないことが設定された画像形成装置に対しては、ジョブデータの送信は行われない。
【００９８】
このように、ユーザは、携帯端末装置２の記憶部２２のフォルダ２２１〜２２４毎に、さらに画像形成装置１毎に、画像形成装置１へのジョブデータの送信を行うか否かを設定することができるから、送信可否についてのユーザの意図を反映することができ、利便性を高めることができる。
【００９９】
図１４は、この発明のさらに他の実施形態を説明するためのフローチャートであり、図４（Ａ）のフローチャートにおけるステップＳ０３のデータ送信処理のサブルーチンに対応するフローチャートである。
【０１００】
この実施形態では、ジョブデータを格納するための送信用フォルダ２２１〜２２４が、携帯端末装置２の記憶部２２に作成されていない場合に、画像形成装置１からフォルダ作成用アプリケーションプログラムをダウンロードして、フォルダを作成するものである。
【０１０１】
ステップＳ０３１１で、携帯端末装置２は、近距離無線通信部２３を介して近距離無線通信機器である画像形成装置１が検出されるのを待つ。画像形成装置１が検出されると（ステップＳ０３１１でＹＥＳ）、ステップＳ０３１２で、検出された画像形成装置１に対して接続要求を出し、画像形成装置１からの回答を待つ。
【０１０２】
次に、ステップＳ０３１３で、画像形成装置１により接続要求が受け付けられたか否かを判断する。画像形成装置１により接続要求が受け付けられなかった場合（ステップＳ０３１３でＮＯ）、ステップＳ０３１１に戻る。接続要求が受け付けられると（ステップＳ０３１３でＹＥＳ）、ステップＳ０３１４で、通信接続の確立が検出されたのち、ステップＳ０３１５で、記憶部２２の送信用フォルダ及びジョブデータを検索し、ステップＳ０３１６でフォルダが存在するかどうかを判断する。フォルダが存在すれば（ステップＳ０３１６でＹＥＳ）、ステップＳ０３１７で、フォルダに送信対象のジョブデータが存在しているかどうかを判断する。
【０１０３】
送信対象データが存在すれば（ステップＳ０３１７でＹＥＳ）、ステップＳ０３１８で、そのジョブデータを画像形成装置１に送信したのち、ステップＳ０３１５に戻る。送信対象データが存在しなければ（ステップＳ０３７でＮＯ）、ステップＳ０３２１で近距離無線通信を切断した後、リターンする。
【０１０４】
また、ステップＳ０３１６で、送信用フォルダが存在しない場合（ステップＳ０３１６でＮＯ）、ステップＳ０３１９で、画像形成装置１からフォルダ作成用アプリケーションプログラムをダウンロードした後、ステップＳ０３２０で、前記アプリケーションプログラムによりフォルダを作成する。そして、ステップＳ０３２１に進んで近距離無線通信を切断した後、リターンする。
【０１０５】
このように、画像形成装置１との接続が確立されたときに、携帯端末装置２に送信用フォルダが存在しないときは、画像形成装置１からダウンロードしたフォルダ生成用アプリケーションプログラムを用いてフォルダ２２１〜２２４を生成することができるから、極めて便利である。
【０１０６】
図１５は、この発明のさらに他の実施形態を説明するためのフローチャートであり、図１５（Ａ）は、図４（Ａ）のフローチャートにおけるステップＳ０１のフォルダ設定処理のサブルーチンに対応するフローチャートであり、図１５（Ｂ）は、同じく図４（Ａ）のフローチャートにおけるステップＳ０３のデータ送信処理のサブルーチンに対応するフローチャートである。
【０１０７】
この実施形態では、携帯端末装置２が、フォルダ２２１〜２２４に登録されたＰＩＮ（Personal Identification Number）コードを用いて、近距離無線通信による画像形成装置１との接続を確立するものとなされている。
【０１０８】
図１５（Ａ）において、携帯端末装置２はステップＳ０１２０で送信用フォルダを作成した後、ステップＳ０１２１で、作成した各フォルダにＰＩＮコードを登録する。
【０１０９】
一方、図１５（Ｂ）に示すデータ送信処理において、携帯端末装置２はステップＳ０３３１で、近距離無線通信部２３を介して画像形成装置１が検出されるのを待つ。画像形成装置１が検出されると（ステップＳ０３３１でＹＥＳ）、ステップＳ０３３２で、送信用フォルダ２２１〜２２４を検索し、ステップＳ０３３３で、フォルダに登録したＰＩＮコードを用いて画像形成装置１に対して接続要求を出し、画像形成装置１側の回答を待つ。
【０１１０】
次に、ステップＳ０３３４で、画像形成装置１により接続要求が受け付けられたか否かを判断する。画像形成装置１により接続要求が受け付けられなかった場合（ステップＳ０３３３４でＮＯ）、ステップＳ０３３１に戻る。
【０１１１】
接続要求が受け付けられると（ステップＳ０３３４でＹＥＳ）、ステップＳ０３３５で、通信接続の確立が検出されたのち、ステップＳ０３３６で、フォルダに送信対象のジョブデータが存在しているかどうかを検索して、送信対象データが存在しているかどうかを判断する。
【０１１２】
送信対象データが存在すれば（ステップＳ０３３６でＹＥＳ）、ステップＳ０３３７で、そのジョブデータを画像形成装置１に送信したのち、ステップＳ０３３６に戻る。送信対象データが存在しなければ（ステップＳ０３３６ＮＯ）、ステップＳ０３３８で近距離無線通信を切断した後、リターンする。
【０１１３】
このように、この実施形態では、フォルダに登録されているＰＩＮコードを用いて画像形成装置１との接続が行われるから、確実に接続を行うことができる。
【０１１４】
図１６はこの発明のさらに他の実施形態を説明するものであり、この実施形態では、画像形成装置１が、ジョブデータと共に受信した、フォルダ２２１〜２２４に割り当てられているジョブチケットを、ユーザの指示に基づいて編集可能となされている。
【０１１５】
即ち、画像形成装置１の全体制御部１１は、ジョブチケット編集モードにおいて、操作パネル部１７の表示部１７２にジョブチケット設定画面４１を表示させる。この例では、印刷ジョブ用ジョブチケット、保存用ジョブチケット、転送用ジョブチケット、ファイル変換用ジョブチケットの４つのジョブチケットを受信した場合を示している。
【０１１６】
表示画面４１において、ユーザにより「印刷」ボタンが選択されると、印刷ジョブ用ジョブチケットの変更画面４２が表示され、ジョブチケットで規定されている印刷設定（この例では印刷部数）を変更可能となされている。
【０１１７】
表示画面４１において、「ＨＤＤ」ボタンが選択されると、保存ジョブ用ジョブチケットの変更画面４３が表示され、ジョブチケットで規定されている記憶部２２への保存設定（この例では保存先）を変更可能となされている。
【０１１８】
表示画面４１において、「転送」ボタンが選択されると、転送ジョブ用ジョブチケットの変更画面４４が表示され、ジョブチケットで規定されている転送設定及び転送方法（この例ではＦａｘ転送かＦＴＰ転送か、及び転送先）を変更可能となされている。
【０１１９】
表示画面４１において、「ファイル変換」ボタンが選択されると、ファイル変換用ジョブチケットの変更画面４５が表示され、ジョブチケットで規定されているファイル変換設定（この例では入力形式と出力形式）を変更可能となされている。
【０１２０】
このように、携帯端末装置２で各フォルダ２２１〜２２４に割り当てられたジョブ条件を、画像形成装置１により編集することができるから、ユーザはジョブ条件を容易に変更することができる。
【図面の簡単な説明】
【０１２１】
【図１】この発明の一実施形態に係るジョブ実行システムとしての印刷システムの構成図である。
【図２】画像形成装置の機能的な構成を示すブロック図である。
【図３】携帯端末装置の機能構成を示すブロック図である。
【図４】図４Ａは携帯端末装置の動作を示すフローチャートであり、図４Ｂは画像形成装置の動作を示すフローチャートである。
【図５】図４ＡのフローチャートにおけるステップＳ０１のフォルダ設定処理のサブルーチンを示すフローチャートである。
【図６】図４ＡのフローチャートにおけるステップＳ０３のデータ送信処理のサブルーチンを示すフローチャートである。
【図７】図４ＢのフローチャートにおけるステップＳ１１の画像形成装置のデータ受信処理のサブルーチンを示すフローチャートである。
【図８】図４Ｂのフローチャートにおけるデータ処理のサブルーチンを示すフローチャートである。
【図９】この発明の他の実施形態を示すもので、図９（Ａ）は、図４ＢのフローチャートにおけるステップＳ１１の画像形成装置のデータ受信処理のサブルーチンに対応するフローチャート、図９（Ｂ）は、図４（Ａ）のフローチャートにおけるステップＳ０３の携帯端末装置のデータ送信処理のサブルーチンに対応するフローチャートである。
【図１０】この発明のさらに他の実施形態を示すフローチャートであり、図４（Ｂ）のフローチャートにおけるステップＳ１２のデータ処理のサブルーチンに対応するものである。
【図１１】ジョブチケットの一例を示す図である。
【図１２】図１２（Ａ）は図４（Ａ）のフローチャートにおけるステップＳ０１のフォルダ設定処理のサブルーチンに対応するフローチャートであり、図１２（Ｂ）は図４（Ｂ）のフローチャートにおけるステップＳ１２のデータ処理に対応するフローチャートである。
【図１３】この発明のさらに他の実施形態を説明するためのフローチャートであり、図４（Ａ）のフローチャートにおけるステップＳ０１のフォルダ設定処理のサブルーチンに対応するフローチャートである。
【図１４】この発明のさらに他の実施形態を説明するためのフローチャートであり、図４（Ａ）のフローチャートにおけるステップＳ０１のフォルダ設定処理のサブルーチンに対応するフローチャートである。
【図１５】この発明のさらに他の実施形態を説明するためのフローチャートであり、図１５（Ａ）は、図４（Ａ）のフローチャートにおけるステップＳ０１のフォルダ設定処理のサブルーチンに対応するフローチャートであり、図１５（Ｂ）は、同じく図４（Ａ）のフローチャートにおけるステップＳ０３のデータ送信処理のサブルーチンに対応するフローチャートである。
【図１６】ジョブデータと共に受信したジョブチケットを、画像形成装置で編集する場合の画面遷移図である。
【符号の説明】
【０１２２】
１    画像形成装置
２    携帯端末装置
１１  全体制御部
１２  記憶部
１３  近距離無線通信部
１７  操作パネル部
２１  全体制御部
２２  記憶部
２２１〜２２４  フォルダ
【図１】
0004605215.tif 000002
【図２】
0004605215.tif 000003
【図３】
0004605215.tif 000004
【図４】
0004605215.tif 000005
【図５】
0004605215.tif 000006
【図６】
0004605215.tif 000007
【図７】
0004605215.tif 000008
【図８】
0004605215.tif 000009
【図９】
0004605215.tif 000010
【図１０】
0004605215.tif 000011
【図１１】
0004605215.tif 000012
【図１２】
0004605215.tif 000013
【図１３】
0004605215.tif 000014
【図１４】
0004605215.tif 000015
【図１５】
0004605215.tif 000016
【図１６】
0004605215.tif 000017